(57)【要約】【課題】染料インクでカラー画像が記録された記録媒体が水に濡れても、元のカラー画像が表していた情報を視覚で識別可能とする。【解決手段】情報処理装置２０の画像処理部２１０は、カラー画像を構成する画素ごとに、画像データに含まれるＲＧＢデータを輝度値に変換し、各色の染料インクとともに打ち込まれる顔料インクの量を輝度値に基づき決定する。これにより、染料インクで印刷されるカラー画像に重畳して、このカラー画像の輝度分布を表すグレースケール画像を顔料インクで記録する。【選択図】図１
2011213034.tif 000002
【特許請求の範囲】
【請求項１】
顔料インク及び複数色の染料インクが搭載される印刷機構に、画像データが表すカラー画像を記録させる印刷制御装置であって、
前記カラー画像を構成する各画素の位置に対する前記各色の染料インクの打ち込み量を、前記画像データに含まれる色情報に基づき決定して前記印刷機構に与える画像処理手段を備え、
前記画像処理手段は、
前記カラー画像を構成する画素ごとに、前記カラー画像に含まれる画像の特徴量を前記色情報から算出して、前記画素の位置に前記染料インクとともに打ち込まれる前記顔料インクの量を前記特徴量に基づき決定し、前記各色の染料インクの打ち込み量とともに前記顔料インクの打ち込み量を前記印刷機構に与えることを特徴とする印刷制御装置。
【請求項２】
請求項１記載の印刷制御装置であって、
前記画像処理手段は、前記カラー画像を構成する画素ごとに、前記特徴量として輝度値を算出し、前記輝度値に応じて、前記画素の位置に対する前記顔料インクの打ち込み量を決定することを特徴とする印刷制御装置。
【請求項３】
請求項１記載の印刷制御装置であって、
前記画像処理手段は、前記カラー画像を構成する画素ごとに、輝度のこう配を表すエッジ量を前記特徴量として算出し、前記画素の位置に対する前記顔料インクの打ち込み量を、前記エッジ量に基づき決定することを特徴とする印刷制御装置。
【請求項４】
請求項１、２及び３のいずれか一項に記載の印刷制御装置であって、
印刷モードの設定を受け付ける印刷モード設定受付手段を備え、
前記画像処理手段は、
前記印刷モード設定受付手段が前記印刷モードとして第一の印刷モードの設定を受け付けた場合には、前記カラー画像を構成する各画素の位置に対する前記各色の染料インクの打ち込み量を前記印刷機構に与え、
前記印刷モード設定受付手段が前記印刷モードとして第二のモードの印刷設定を受け付けた場合には、前記カラー画像を構成する各画素の位置に対する前記各色の染料インクの打ち込み量とともに前記顔料インクの打ち込み量を前記印刷機構に与えることを特徴とする印刷制御装置。
【請求項５】
染料インク及び顔料インクが搭載される印刷機構の制御処理を印刷制御装置に実行させる印刷制御プログラムであって、
前記印刷制御装置に実行させる制御処理は、
カラー画像を構成する各画素の位置に対する前記各色の染料インクの打ち込み量を、前記画像データに含まれる色情報に基づき決定する処理と、
前記カラー画像を構成する画素ごとに、前記カラー画像に含まれる画像の特徴量を前記色情報から算出して、前記画素の位置に前記染料インクとともに打ち込まれる前記顔料インクの量を前記特徴量に基づき決定する処理と、
前記カラー画像を構成する各画素の位置に対する前記各色の染料インクの打ち込み量とともに、前記染料インクとともに打ち込まれる前記顔料インクの量を前記印刷機構に与える処理と、
を含むことを特徴とする印刷制御プログラム。
【発明の詳細な説明】
【技術分野】
【０００１】
本発明は、記録媒体に染料インクで記録されたカラー画像がにじんでしまっても、元のカラー画像が表していた情報を、視覚で識別可能な状態で記録媒体上に保持可能とする印刷制御技術に関する。
【背景技術】
【０００２】
顔料インク及び染料インクの双方が搭載されるカラーインクジェットプリンターとして、例えば特許文献１記載のインクジェット記録装置が知られている。
【０００３】
このインクジェット記録装置には、カラーインクとして染料インク、黒インクとして染料インク及び顔料インクの双方が搭載されている。そして、吸収層を有していない普通紙に対してモノクロ画像を記録する場合にのみ、顔料インク及び染料インクの双方の黒インクを用いて印刷を行い、その他の場合（吸収層を有する専用紙に対するモノクロ画像またはカラー画像の記録、普通紙に対するカラー画像の記録等）には、黒インク及びカラーインクとともに染料インクを用いて印刷を行う。これにより、専用紙に対しては、良好なモノクロ画像及び良好なカラー画像を記録することができ、普通紙に対しては、良好なカラー画像を記録できるとともに、濃度の高い鮮明なモノクロ画像を高速に記録することができる。
【先行技術文献】
【特許文献】
【０００４】
【特許文献１】特開２００６−１６８３７０号公報
【発明の概要】
【発明が解決しようとする課題】
【０００５】
ところが、上記従来のインクジェット記録装置によれば、普通紙にモノクロ画像を記録する場合を除き、黒インク及びカラーインクの双方ともに、一般に顔料インクよりも耐水に劣る染料インクが用いられる。このため、例えば、このインクジェット記録装置によりカラー画像が印刷された普通紙等が水に濡れてしまうと、染料インクがにじんで、カラー画像に含まれる文字等が表している情報が完全に失われることがある。
【０００６】
そこで、本発明は、染料インクでカラー画像が記録された記録媒体が水に濡れても、元のカラー画像が表していた情報を、視覚で識別可能な状態で記録媒体上に保持可能とすることを目的とする。
【課題を解決するための手段】
【０００７】
上記課題を解決するために、本発明の一の態様に係る印刷制御装置は、顔料インク及び複数色の染料インクが搭載される印刷機構に、画像データが表すカラー画像を記録させる印刷制御装置であって、前記カラー画像を構成する各画素の位置に対する前記各色の染料インクの打ち込み量を、前記画像データに含まれる色情報に基づき決定して前記印刷機構に与える画像処理手段を備え、前記画像処理手段は、前記カラー画像を構成する画素ごとに、前記カラー画像に含まれる画像の特徴量を前記色情報から算出して、前記画素の位置に前記染料インクとともに打ち込まれる前記顔料インクの量を前記特徴量に基づき決定し、前記各色の染料インクの打ち込み量とともに前記顔料インクの打ち込み量を前記印刷機構に与える。
【０００８】
このような印刷制御装置によれば、印刷機構において、カラー画像を記録する染料インクとともに、カラー画像に含まれる画像の特徴量に応じた顔料インクが打ち込まれるため、記録媒体には、染料インクで印刷されるカラー画像に重畳して、カラー画像に含まれる画像の特徴を表す画像が、耐水性に優れる顔料インクで記録される。このため、万一、記録媒体が濡れて染料インクがにじんでしまっても、ユーザは、顔料インクで記録された画像から、元のカラー画像が表していた情報の内容を視覚で把握することができる。
【０００９】
好適な実施態様では、前記画像処理手段は、前記カラー画像を構成する画素ごとに、前記特徴量として輝度値を算出し、前記輝度値に応じて、前記画素の位置に対する前記顔料インクの打ち込み量を決定してもよい。
【００１０】
これにより、記録媒体には、染料インクで記録されるカラー画像に重畳して、このカラー画像における輝度分布を表すグレースケール画像が顔料インクで記録される。このため、万一、染料インクがにじんでしまっても、ユーザは、耐水性に優れる顔料インクで記録されたグレースケール画像から、元のカラー画像に含まれていた画像の形状等を把握することができる。
【００１１】
好適な実施態様では、前記画像処理手段は、前記カラー画像を構成する画素ごとに、輝度のこう配を表すエッジ量を前記特徴量として算出し、前記画素の位置に対する前記顔料インクの打ち込み量を、前記エッジ量に基づき決定してもよい。
【００１２】
これにより、カラー画像に含まれる画像の輪郭以外の領域への顔料インクの打ち込みが防止されるため、耐水画像が重畳されていない通常のカラー画像とほぼ同様の色合いのカラー画像を記録媒体上に再現することができる。
【発明の効果】
【００１３】
本発明によれば、染料インクで印刷されたカラー画像に重畳して、このカラー画像が表す画像の内容を視覚で識別可能な画像が、耐水性に優れる顔料インクで記録される。このため、万一、記録媒体が水に濡れて染料インクがにじんでしまっても、ユーザは、顔料インクで記録された画像から、元のカラー画像が表していた情報の内容を視覚で把握することができる。
【図面の簡単な説明】
【００１４】
【図１】本発明の実施形態に係る画像記録システムの概略構成図。
【図２】本発明の第一の実施形態に係る耐水画像印刷処理を含む印刷制御処理のフローチャート。
【図３】本発明の第二の実施形態に係る情報処理装置の機能構成図。
【図４】印刷モード設定画面及び耐水画像設定画面のレイアウト例。
【図５】本発明の第二の実施形態に係る耐水画像印刷処理を含む印刷制御処理のフローチャート。
【発明を実施するための形態】
【００１５】
以下、添付図面を参照しながら、本発明に係る一実施形態について説明する。
【００１６】
まず、本実施の形態に係る画像記録システムの構成について説明する。
【００１７】
図１に、本実施の形態に係る画像記録システムの概略構成を示す。
【００１８】
図示するように、本実施の形態に係る画像記録システムには、情報処理装置２０と、情報処理装置２０からの画像データが表すカラー画像を記録媒体（記録紙等）に印刷するインクジェットプリンター１０と、が含まれる。
【００１９】
インクジェットプリンター１０は、複数の記録ヘッド１１１，１１２を有するヘッドユニット１１０と記録媒体とを相対的に移動させながら、各記録ヘッド１１１，１１２から記録媒体に向けてインクを噴射するインクジェット方式の印刷機構１００を有している。具体的には、ヘッドユニット１１０が搭載されたキャリッジ、キャリッジを主走査方向に往復移動させるヘッド移動機構、主走査方向と交差する方向（副走査方向）に記録媒体を間欠的に搬送する記録媒体搬送機構、等を有している。そして、各記録ヘッド１１１，１１２には、それぞれ、副走査方向に沿って複数のノズルが形成されたノズルプレートが設けられており、各記録ヘッド１１１，１１２のノズルからは、記録ヘッド１１１，１１２に対応して装着されたインクカートリッジ１２０，１２１のインクが吐出されるようになっている。本実施の形態では、このようなインクカートリッジ１２０，１２１として、シアン（Ｃ）、マゼンダ（Ｍ）、イエロー（Ｙ）、ブラック（Ｋ）等の各色の染料インクが充填されたインクカートリッジ１２１、及び、染料インクよりも耐水性に優れるブラック（Ｋ）の顔料インクが充填されたインクカートリッジ１２０が搭載される。
【００２０】
一方、情報処理装置２０は、ＣＰＵが、ハードディスク等からメモリー上にプログラムをロードし、それを実行するコンピュータとしてのハードウエア構成（キーボード、ディスプレイ、ＣＰＵ、メモリー、ハードディスク、インクジェットプリンター１０が接続される出力インタフェース）を備えている。そして、この情報処理装置２０は、インストールされた印刷制御プログラムの実行によって、アプリケーションプログラム２００の出力画像データが表すカラー画像とこのカラー画像の特徴を表す耐水画像との重畳画像を染料インク及び顔料インクの双方で記録する耐水画像印刷処理を実行するための機能構成を実現する。具体的には、色変換処理部２１１と輝度算出部２１２とデューティー調整部２１３とハーフトーン処理部２１４とを含む画像処理部２１０を実現する。
【００２１】
つぎに、このような機能構成を有する情報処理装置２０において実行される印刷制御処理について説明する。ここでは、通常モード及び耐水モードのいずれか一方が印刷モードとしてあらかじめ設定されていることとする。
【００２２】
図２に、本実施の形態に係る耐水画像印刷処理を含む印刷制御処理のフローチャートを示す。
【００２３】
画像処理部２１０は、赤（Ｒ）、緑（Ｇ）及び青（Ｂ）の各色の階調値（ＲＧＢデータ）で表される画像データを含む印刷要求がアプリケーションプログラム２００から入力されると、この画像データをバッファメモリーに一旦保存してから、印刷モードに応じた以下の処理を実行する。
【００２４】
印刷モードとして「通常モード」が設定されている場合（Ｓ３００：通常モード）、画像処理部２１０は、通常のカラー画像印刷処理（Ｓ３１０）を実行し、各色の染料インクの吐出の有無を定めるハーフトーンデータをインクジェットプリンター１０に入力する。これにより、インクジェットプリンター１０では、画像データが表すカラー画像が染料インクのみで記録媒体に印刷される。
【００２５】
一方、印刷モードとして「耐水モード」が設定されている場合（Ｓ３００：耐水モード）、画像処理部２１０は、以下の耐水画像印刷処理（Ｓ３２０）を実行し、画像データが表すカラー画像とこのカラー画像の特徴を表す耐水画像との重畳画像を染料インク及び顔料インクの双方で記録する。
【００２６】
耐水画像印刷処理（Ｓ３２０）において、画像処理部２１０は、カラー画像を構成する画素を順次注目画素として以下の画像処理（Ｓ３２１〜Ｓ３２４）を実行する。
【００２７】
色変換処理部２１１は、色変換用のルックアップテーブルを参照して、注目画素のＲＧＢデータを、インクジェットプリンター１０に搭載される染料インクに対応する各色成分の階調値（ＣＭＹＫデータ）に変換する（Ｓ３２１）。これにより、注目画素の位置に対する各色の染料インクの打ち込み量を表すＣＭＹＫデータが得られる。
【００２８】
一方、輝度算出部２１２は、以下の変換式（１）を用いて、注目画素のＲＧＢデータを、０から２５５までの２５６階調の輝度値Ｙに変換する。これにより、注目画素の位置に対して各色の染料インクとともに打ち込まれるブラック顔料インクの量を表す輝度値Ｙが得られる。
【００２９】
Ｙ＝α×Ｒ＋β×Ｇ＋γ×Ｂ  …（１）
ここで、α、β、γは、所定の割合となるように定められた重み係数であり、例えば、α＝０．１、β＝０．３、γ＝０．６である。
【００３０】
ここでは、上記変換式（１）により輝度値Ｙを算出しているが、ＲＧＢデータと輝度値Ｙとを対応付けたルックアップテーブルを予め準備しておき、輝度算出部２１２が、注目画素のＲＧＢデータに対応付けられた輝度値Ｙをこのルックアップテーブルから得るようにしてもよい。
【００３１】
その後、デューティー調整部２１３は、記録媒体の単位面積に打ち込まれる各色の染料インクとブラック顔料インクとの合計量が、記録媒体の種類等に応じて定まる制限値以下となるように、注目画素について輝度値Ｙと色ごとのＣＭＹＫデータとをそれぞれ調整する（Ｓ３２３）。そして、ハーフトーン処理部２１４は、調整後の輝度値Ｙ及び調整後のＣＭＹＫデータに基づいてハーフトーン処理を行って、注目画素へのブラック顔料インクの打ち込みの有無を定めるハーフトーンデータ、及び、注目画素への各色の染料インクの打ち込みの有無を定めるハーフトーンデータを算出する（Ｓ３２４）。
【００３２】
このようにして、カラー画像を構成するすべての画素について、ブラック顔料インクの打ち込みの有無を定めるハーフトーンデータ、及び、各色の染料インクの打ち込みの有無を定めるハーフトーンデータが得られたら（Ｓ３２５：Ｎｏ）、画像処理部２１０は、これらのハーフトーンデータをインクジェットプリンター１０に出力する。
【００３３】
これらのハーフトーンデータに従って、インクジェットプリンター１０は、カラー画像を構成する各画素の位置に、画素の色成分に応じた染料インクと画素の輝度値（カラー画像の特徴量）に応じた量の顔料インクとを打ち込むため、記録媒体上には、画像データが表すカラー画像（染料インク画像）とこのカラー画像の特徴（輝度分布）を表すグレースケール画像（顔料インク画像）との重畳画像が記録される。このため、万一、記録媒体が水に濡れて染料インクがにじんでしまっても、ユーザは、耐水性に優れる顔料インクで記録されたグレースケール画像から、元のカラー画像に含まれていた画像の形状等の特徴を把握することができる。したがって、元のカラー画像が表していた情報の内容を視覚で把握することができる。
【００３４】
なお、本実施の形態においては、グレースケール画像をブラック顔料インクで記録しているが、他の色の顔料インクがインクジェットプリンター１０に搭載されている場合には、他の色の顔料インクでグレースケール画像を記録してもよい。
【００３５】
また、本実施の形態においては、グレースケール画像に用いる顔料インクと同色の染料インクも含んだ複数の染料インクでカラー画像を記録しているが、グレースケール画像に用いる顔料インクと同色の色成分を除去したカラー画像を、グレースケール画像に用いる顔料インクとは異なる色の染料インクだけで記録するようにしてもよい。
【００３６】
以上においては、カラー画像の特徴を表す耐水画像としてカラー画像全体のグレースケール画像を印刷しているが、カラー画像の特徴をユーザが視覚で識別可能な画像であれば、カラー画像全体のグレースケール画像以外の画像を耐水画像として印刷してもよい。例えば、カラー画像のエッジ画像のみを耐水画像として印刷するようにすれば、エッジ画像以外の領域への顔料インクの打ち込みが防止されるため、耐水画像が重畳されていない通常のカラー画像（通常のカラー画像印刷処理Ｓ３１０により染料インクのみで印刷されたカラー画像）とほぼ同様の色合いのカラー画像を記録媒体上に再現することができる。以下、このようにする場合について説明する。
【００３７】
図３に、画像データが表すカラー画像とこのカラー画像に含まれるエッジ画像（耐水画像）との重畳画像を印刷する場合に情報処理装置２０が実現する機能構成（画像処理部２１０）を示し、図４（Ａ）及び図４（Ｂ）に、印刷モードの選択を受け付ける印刷モード設定画面、及び、耐水画像の生成元の選択を受け付ける耐水画像設定画面を示す。
【００３８】
この場合、画像処理部２１０は、色変換処理部２１１、エッジ抽出部２１５、デューティー調整部２１３、ハーフトーン処理部２１４を有しており、ディスプレイ上の設定画面でなされた設定に応じて通常のカラー画像印刷処理または耐水画像印刷処理を実行する。ここで、ディスプレイ上に表示される設定画面には、通常モード及び耐水モードのいずれか一方の印刷モードの選択を受け付ける印刷モード設定画面（図４（Ａ））と、印刷モードとして耐水モードが選択された場合に耐水画像の種類の選択を受け付ける耐水画像設定画面（図４（Ｂ））と、が含まれる。なお、本実施の形態においては、黒エッジのみ及びエッジ全体（色を黒に限定しないエッジ）のいずれか一方のエッジ画像を耐水画像として選択するためのボタン１４０２が耐水画像設定画面上に配置される。
【００３９】
図５に、このような画像処理部２１０が実行する印刷制御処理のフローチャートを示す。
【００４０】
印刷モード設定画面で耐水モードが選択され、耐水画像設定画面で耐水画像の種類が選択されている場合、画像処理部２１０は、図２の耐水画像合成印刷処理（Ｓ３２０）に代えて、以下の耐水画像合成印刷処理（Ｓ３３０）を実行する。
【００４１】
この耐水画像印刷処理（Ｓ３３０）において、画像処理部２１０は、カラー画像を構成する画素を順次注目画素として以下の画像処理（Ｓ３３１〜Ｓ３３８）を実行する。
【００４２】
色変換処理部２１１は、色変換用のルックアップテーブルを参照し、注目画素のＲＧＢデータを、インクジェットプリンター１０に搭載される染料インクに対応する各色の階調データ（ＣＭＹＫデータ）に変換する（Ｓ３３１）。これにより、注目画素の位置に対する各色の染料インクの打ち込み量を表すＣＭＹＫデータが得られる。
【００４３】
一方、エッジ抽出部２１５は、前述の変換式（１）により、注目画素のＲＧＢデータを輝度値Ｙに変換し、重み係数で重み付けされたエッジ抽出フィルタにより、注目画素の輝度値Ｙとその周辺画素の輝度値Ｙとから、注目画素のエッジ量（輝度のこう配を表す特徴量）を算出する（Ｓ３３２）。なお、ここでは、注目画素のエッジ量を輝度値から算出しているが、注目画素のエッジ量を彩度から算出してもよい。
【００４４】
耐水画像としてすべてのエッジ画像が設定されている場合（Ｓ３３３：Ｎｏ）、エッジ抽出部２１５は、所定のルックアップテーブルを参照して、エッジ量に基づいてブラック顔料インクの打ち込み量に対応する値を決定する（Ｓ３３５）。例えば、ブラック顔料インクの打ち込み量に対応する値は、注目画素のエッジ量が所定の閾値以上であれば「０」、エッジ量が所定の閾値未満であれば「２５５」に設定してもよい。
【００４５】
耐水画像として黒エッジ画像が設定されている場合（Ｓ３３３：Ｙｅｓ）、エッジ抽出部２１５は、注目画素のエッジ量及びＲＧＢデータに基づいて、黒エッジである注目画素に対して、所定のルックアップテーブルを参照して、そのエッジ量に基づいてブラック顔料インクの打ち込み量に対応する値を決定する（Ｓ３３４）。例えば、ブラック顔料インクの打ち込み量に対応する値は、注目画素の色が黒であり、そのエッジ量が所定の閾値以上であれば「０」、エッジ量が所定の閾値未満であれば「２５５」に設定してもよい。
【００４６】
その後、デューティー調整部２１３は、記録媒体の単位面積に打ち込まれる各色の染料インクとブラック顔料インクとの合計量が、記録媒体の種類等に応じて定まる制限値以下となるように、注目画素に設定した新たな輝度値と色ごとのＣＭＹＫデータとをそれぞれ調整する（Ｓ３３６）。そして、ハーフトーン処理部２１４は、調整後の輝度値及び調整後のＣＭＹＫデータをそれぞれハーフトーン処理することにより、注目画素へのブラック顔料インクの吐出の有無を定めるハーフトーンデータ、及び、注目画素への各色の染料インクの吐出の有無を定めるハーフトーンデータを算出する（Ｓ３３７）。
【００４７】
このようにして、画像データが表すカラー画像を構成するすべての画素について、ブラック顔料インクの打ち込みの有無を定めるハーフトーンデータ、及び、各色の染料インクの打ち込みの有無を定めるハーフトーンデータが得られたら（Ｓ３３８：Ｎｏ）、画像処理部２１０は、これらのハーフトーンデータをインクジェットプリンター１０に出力する。
【００４８】
これにより、所定値以上のエッジ量（カラー画像の特徴量）を有する画素の位置（染料インクで印刷されるカラー画像に含まれるエッジ）に顔料インクが打ち込まれるため、例えば、カラー画像（染料インク画像）とこのカラー画像に含まれる黒または黒を含むすべてのエッジ画像（顔料インク画像）との重畳画像が記録媒体に記録される。このため、万一、記録媒体が水に濡れて染料インクがにじんでしまっても、ユーザは、耐水性に優れる顔料インクで記録されたエッジ画像を認識することができる。このエッジ画像には、例えば、文字のエッジ、あるいは、写真画像などに含まれる被写体の輪郭（例えば顔の輪郭）などが含まれるので、染料インクが水でにじんでしまっても、これらの画像が残る。
【００４９】
なお、本実施の形態においては、カラー画像に含まれる黒エッジまたは全エッジのエッジ画像をブラック顔料インクで記録しているが、他の色の顔料インクがインクジェットプリンター１０に搭載されている場合には、カラー画像に含まれる黒文字または文字のエッジ画像を他の色の顔料インクで記録してもよい。
【００５０】
また、本実施の形態においては、黒エッジまたは全エッジのエッジ画像を耐水画像として印刷しているが、エッジ以外のイメージ画像を耐水画像として印刷するようにしてもよい。このようにする場合、例えば図４（Ｄ）に示すように、上述のボタン１４０２に加えて、黒エッジ及び全エッジのいずれか一方のエッジ画像とともにイメージ領域の画像も耐水画像に含めて印刷することを選択するためのボタン１４０３を耐水画像設定画面に配置してもよい。例えば、画像の中から自動的に顔を検出したときに、顔領域内の画像は、輝度に応じて顔料ブラックインクを混ぜて印刷してもよい。
【００５１】
以上においては、染料インク及び顔料インクの双方が搭載されるインクジェットプリンター１０と情報処理装置２０を含む画像記録システムへの適用例を挙げたが、本発明は、インクジェット方式の画像記録機能を有する他の装置にも適用可能である。例えば、原稿のスキャニングにより画像データを取り込む装置（コピー機、複合機等）に適用する場合、上述の印刷制御処理に含まれる各処理を装置内部のＡＳＩＣ等に実行させればよい。ただし、輝度値Ｙまたはエッジ量は、原稿のスキャニング中に逐次算出してもよいし、原稿のスキャニング完了後にバッファメモリーに格納された画像データから算出してもよい。
【００５２】
また、上述の実施形態では、Ｃ，Ｍ，Ｙ，Ｋの４色のインクジェットプリンターを例に説明したが、これ以外の色を有するインクジェットプリンター（例えば、全６色または８色など）に適用することもできる。
【符号の説明】
【００５３】
１０：インクジェットプリンター、１００：印刷機構、１１１：記録ヘッド（顔料インク用）、１１２：記録ヘッド（染料インク用）、１２０：インクカートリッジ（顔料インク）、１２１：インクカートリッジ（染料インク）、２０：情報処理装置、２００：アプリケーションプログラム、２１０：画像処理部、２１１：色変換処理部、２１２：輝度算出部、２１３：デューティー調整部、２１４：ハーフトーン処理部、２１５：エッジ抽出部。
【図１】
2011213034.tif 000003
【図２】
2011213034.tif 000004
【図３】
2011213034.tif 000005
【図４】
2011213034.tif 000006
【図５】
2011213034.tif 000007